(57)【特許請求の範囲】
【請求項１】
使用者からの尿流を受けるボウル部（１１０）と、ボウル部の底部に配置された排水口（１５０）とを備え、上記ボウル部は、使用者に対向し尿流が当たるボウル部壁面（１１２）と、ボウル部壁面の周囲を取り囲む外側壁面（１１４）と、ボウル部壁面の上部から使用者側へ延在する上部壁面（１１６）とを有する小便器（１０１）であって、
当該小便器は、樹脂材をブロー成型した物であり、
上記ボウル部壁面に設けられる凸部で、当該小便器の中心軸（１０２）に対して左右対称位置の２箇所にて使用者側へ突出した状態で当該小便器の左右方向（１０１ｂ）に広がることなく鉛直方向である上下方向（１０１ａ）に延在する凸部（１２０）と、
２つの上記凸部の間に位置し、両凸部を連結する円弧状の凹部（１３０）と、
をさらに備え、
上記ボウル部壁面は、底部側に上記排水口につながる円弧面（１１７）を有し、該円弧面の接線が鉛直線となる位置である変曲位置（Ｎ）を有し、
上記凸部は、円弧状の凹部における尿流の入射角度を鋭角にすると共に凹部にて左右側へ跳ね返った尿を再び上記凹部の方へ配向する部分であり、上記上下方向において高さが変化し高さが最も大きい頂部（１２１）を有し、かつ、上下方向において、上記ボウル部壁面の上端のうち上記中心軸における位置とボウル部壁面の上記変曲位置との範囲（Ｌ１）に存在し、
上記頂部は、上記上下方向において、上記ボウル部壁面の上端のうち上記中心軸における位置から上記範囲（Ｌ１）の３割から８割の間に位置する、
ことを特徴とする小便器。
【請求項２】
当該小便器の左右方向（１０１ｂ）において、２つの上記凸部間の距離Ｘ１は、当該小便器の全幅Ｘに対して３割と６割との間の値である、請求項１に記載の小便器。
【請求項３】
上記凸部は、当該小便器の奥行き寸法（Ｗ）に対して２割から３割の高さを有する、請求項１又は２に記載の小便器。
【請求項４】
当該小便器は水洗タイプであり、
上記ボウル部壁面の上部に設けられ、ボウル部壁面を流れる水洗水の水流を調整する突起であり、当該小便器の中心を頂点として両側の上記外側壁面の方へ傾斜して直線状に延在する山形形状を有し、上記水流を外側壁面の方へ導くと共に、ボウル部壁面と一体成型されている一つの水流調整突起（１４０）をさらに備えた、請求項１から３のいずれかに記載の小便器。
【請求項５】
使用者からの尿流を受けるボウル部（１１０）と、ボウル部の底部に配置された排水口（１５０）とを備え、上記ボウル部は、使用者に対向し尿流が当たるボウル部壁面（１１２）と、ボウル部壁面の周囲を取り囲む外側壁面（１１４）と、ボウル部壁面の上部から使用者側へ延在する上部壁面（１１６）とを有する小便器（１０１）であって、
当該小便器は、樹脂材をブロー成型した物であり、
上記ボウル部壁面に設けられる凸部で、当該小便器の中心軸（１０２）に対して左右対称位置の２箇所にて使用者側へ突出した状態で当該小便器の左右方向（１０１ｂ）に広がることなく鉛直方向である上下方向（１０１ａ）に延在する凸部（１２０）と、
２つの上記凸部の間に位置し、両凸部を連結する円弧状の凹部（１３０）と、を備え、  上記凸部及び上記凹部を有する上記ボウル部壁面を構成する曲面は、上記上下方向において、上記ボウル部壁面の上端のうち上記中心軸における位置（Ｍ）、上記ボウル部壁面の変曲位置（Ｎ）、及び上記凸部の頂部の位置（Ｔ）の３位置における各断面をつないで形成される曲面であり、
上記ボウル部壁面は、底部側に上記排水口につながる円弧面（１１７）を有し、該円弧面の接線が鉛直線となる位置である変曲位置（Ｎ）を有し、
上記凸部は、円弧状の凹部における尿流の入射角度を鋭角にすると共に凹部にて左右側へ跳ね返った尿を再び上記凹部の方へ配向する部分であり、かつ、上記上下方向において、上記ボウル部壁面の上端のうち上記中心軸における位置とボウル部壁面の上記変曲位置との範囲（Ｌ１）に存在し、
上記頂部は、上記上下方向において、上記ボウル部壁面の上端のうち上記中心軸における位置から上記範囲（Ｌ１）の３割から８割の間に位置する、
ことを特徴とする小便器。
【請求項６】
請求項１から５のいずれかに記載の小便器を備えた搬送可能トイレ。
【発明の詳細な説明】
【技術分野】
【０００１】
本発明は、小便器、及び該小便器を備えた搬送可能トイレに関する。
【背景技術】
【０００２】
男性用小便器には、いわゆる朝顔型の壁掛けタイプ、床置き型のストールタイプ、及び壁掛け式であるがストールタイプのように縦長の低リップタイプ、等が存在する。これらのいずれのタイプにおいても、小便器は、使用者からの尿流を受けるボウル部と、ボウル部の底部に配置された排水口とを有する。ここでボウル部は、使用者に対向し尿流が当たるボウル部壁面と、このボウル部壁面の周囲を取り囲む外側壁面と、ボウル部壁面の上端から使用者側へ延在する上部壁面とを有して構成される。
また、小便器は、屋内に据え付けられるものの他、例えば工事現場あるいはイベント会場等へ搬送可能な簡易トイレ内に備わるものもある。
【０００３】
上述したいずれの小便器においても、上記ボウル部壁面は、特に尿流が当たる箇所では、平面あるいは緩やかな曲面で形成されている。このようなボウル部壁面では、ボウル部壁面に対する尿流の入射角度が直角近くになり易く、その結果、ボウル部壁面で尿が跳ね返り、ボウル部の内外へ飛び散るという問題がある。
【０００４】
このような問題を解決すべく、例えば特許文献１には、尿の跳ね返りを抑えた小便器が開示されている。この小便器では、尿が衝突する衝突面に、使用者側へ突出した凸形状の稜部が取り付けられている。この稜部は、水平断面が２等辺三角形であり、衝突面の中央部にのみ位置する。このような稜部を取り付けることで、特許文献１の小便器は、稜部に衝突するときの尿流の衝突角度を鋭角にして、尿の跳ね返りを抑えている。
【先行技術文献】
【特許文献】
【０００５】
【特許文献１】特許第４７８２８１５号公報
【発明の概要】
【発明が解決しようとする課題】
【０００６】
しかしながら特許文献１の小便器では、尿の跳ね返りを抑えるための稜部は、上述のように衝突面の中央部の一箇所にのみ取り付けている。通常、尿流は小便器中央部に当たることから、必然的に稜部の頂点に当たることが多くなると推測される。この場合、尿は稜部の頂点で左右に別れることから、逆に、尿の跳ね返りが多くなると推察される。また、特許文献１では小便器に対して一つの入射角度のみで尿が当たるとして検討しているが、実際には様々な角度が考えられ、小便器の一箇所に単に稜部を設けただけでは、尿の跳ね返りを防ぐことは非常に困難であると言わざるを得ない。さらにまた、小便器中央部に稜部を設けていることから、稜部の左右壁面から小便器の側壁つまり小便器外部までの距離は、小便器中央部からの距離に比べて短い。よって尿流が稜部の頂点以外に当たった場合には、尿が小便器外部へ飛び散り易くなる。
【０００７】
本発明は、このような問題点を解決するために成されたもので、従来に比べて、尿の跳ね返り、飛び散りを抑えることができる小便器、及び該小便器を備えた搬送可能トイレを提供することを目的とする。
【課題を解決するための手段】
【０００８】
上記目的を達成するため、本発明は以下のように構成する。
即ち、本発明の第１態様における小便器は、使用者からの尿流を受けるボウル部と、ボウル部の底部に配置された排水口とを備え、上記ボウル部は、使用者に対向し尿流が当たるボウル部壁面と、ボウル部壁面の周囲を取り囲む外側壁面と、ボウル部壁面の上部から使用者側へ延在する上部壁面とを有する小便器であって、
当該小便器は、樹脂材をブロー成型した物であり、
上記ボウル部壁面に設けられる凸部で、当該小便器の中心軸に対して左右対称位置の２箇所にて使用者側へ突出した状態で当該小便器の上下方向に延在する凸部と、
２つの上記凸部の間に位置し、両凸部を連結する円弧状の凹部と、
をさらに備えたことを特徴とする。
【０００９】
また、本発明の第２態様における搬送可能トイレは、第１態様における小便器を備えたことを特徴とする。
【発明の効果】
【００１０】
本発明の第１態様における小便器によれば、２つの凸部、及び両凸部間に凹部を形成したことから、凹部におけるボウル部壁面は、その曲面の曲率が、従来の小便器における尿流衝突面の曲率に比べて大きく、カーブがきつくなる。したがって、凹部におけるボウル部壁面に対する尿流の入射角度は、鋭角となり、従来に比べて尿の跳ね返りを抑えることができる。
【図面の簡単な説明】
【００１１】
【図１】本発明の一実施形態における小便器の正面図である。
【図２Ａ】図１に示すＡ−Ａ部における小便器の断面図である。
【図２Ｂ】図１に示すＢ−Ｂ部における小便器の断面図である。
【図２Ｃ】図１に示すＣ−Ｃ部における小便器の断面図である。
【図２Ｄ】図１に示すＤ−Ｄ部における小便器の断面図である。
【図２Ｅ】図１に示すＥ−Ｅ部における小便器の断面図である。
【図２Ｆ】図１に示すＦ−Ｆ部における小便器の断面図である。
【図２Ｇ】図１に示すＧ−Ｇ部における小便器の断面図である。
【図２Ｈ】図１に示すＨ−Ｈ部における小便器の断面図である。
【図２Ｉ】図３Ａに示すＭ位置における小便器の断面図である。
【図２Ｊ】図３Ａに示すＮ位置における小便器の断面図である。
【図３Ａ】図１に示すＪ−Ｊ部、即ち図１に示す小便器の中心軸に沿った断面図である。
【図３Ｂ】図１に示すＫ−Ｋ部、即ち図１に示す稜線に沿った凸部の断面図である。
【図４】図１に示す小便器の斜視図である。
【図５Ａ】図１に示す小便器に追加可能な段差を示す正面図である。
【図５Ｂ】図５Ａに示す段差を示すための断面図である。
【図６】図１に示す小便器を取り付け可能な搬送可能トイレを示す正面図である。
【図７】搬送可能トイレに取り付けた状態における図１に示す小便器の側面図である。
【図８】図１に示す小便器におけるボウル部壁面、凸部及び凹部を形成するための断面を規定する値を示す図である。
【発明を実施するための形態】
【００１２】
本発明の実施形態である小便器、及び該小便器を備えた搬送可能トイレについて、図を参照しながら以下に説明する。尚、各図において、同一又は同様の構成部分については同じ符号を付している。また、以下の説明が不必要に冗長になるのを避け当業者の理解を容易にするため、既によく知られた事項の詳細説明及び実質的に同一の構成に対する重複説明を省略する場合がある。また、以下の説明及び添付図面の内容は、特許請求の範囲に記載の主題を限定することを意図するものではない。
【００１３】
第１実施形態；
以下に説明する実施形態では、例えば工事現場あるいはイベント会場等で使用される、搬送可能トイレに取り付けることができる小便器を例に採るが、本実施形態はこれに限定するものではなく、屋内に据え付けられる公衆用及び家庭用の小便器に対しても適用可能である。この場合、小便器は陶器製であってもよい。また、以下の実施形態では、上述したいわゆる壁掛け式の低リップタイプの小便器を例に採るが、本実施形態は、これに限定するものではなく、ストールタイプ、あるいはいわゆる壁掛け式朝顔型にも適用することができる。
【００１４】
図１から図４には、実施形態における、搬送可能トイレに備わる小便器１０１の一例を示している。当該小便器１０１は、図６に示すような搬送可能トイレ２００に取り付けられる小便器であり、搬送可能トイレ２００の取付面２０１に対して壁掛け式にて取り付けられる低リップタイプである。
また、当該小便器１０１は、例えばポリエチレン材を含む熱可塑性の樹脂材を金型内でブロー成型することで、その全体が一体成型され作製されるものである。また小便器１０１の重さは、一例として約２ｋｇである。
【００１５】
このような小便器１０１は、使用者からの尿流を受けるボウル部１１０と、ボウル部１１０の底部に配置された排水口１５０とを備える。ボウル部１１０は、ボウル部壁面１１２と、外側壁面１１４と、上部壁面１１６とを有し、これらの各壁面が一体成型されてボウル部１１０を形成している。ここでボウル部１１０は、図１に「ｈ１」で示す範囲が相当し、小便器１０１の上端１１６ａから排水口１５０の上端までの範囲をいう。
【００１６】
ボウル部壁面１１２は、使用者に対向して位置する壁面であり、特に使用者の尿流が当たる壁面が相当する。また、図３Ａ及び図３Ｂ（総称して図３と記す場合もある）に示すように、ボウル部壁面１１２は、小便器１０１の上下方向１０１ａにおいて範囲Ｌに相当する部分である。ここで範囲Ｌにおける上端は、ボウル部壁面１１２の上端に位置する段差１４０が相当し、下端はボウル部１１０の底部、詳しくは排水口１５０の上端、に相当する。ここで段差１４０は、ボウル部壁面１１２と上部壁面１１６との境界部に相当し、後述するように小便器１０１が水洗タイプの場合における水流調整突起の一例に相当し、水流方向を調整する部分である。尚、非水洗タイプであっても段差１４０は形成されている。
【００１７】
外側壁面１１４は、ボウル部壁面１１２の周囲を取り囲む壁面であり、主にボウル部壁面１１２の左右両側に位置する壁面である。
上部壁面１１６は、ボウル部壁面１１２の上部から使用者側に向かって延在する壁面である。
【００１８】
尚、ブロー成型に起因して成型直後の成型体では、開口１０９（図３Ａ）は形成されておらず、ボウル部１１０は露出していない。よってブロー成型後、不要部分である前面部が成型体から切除されて、図３Ａに示すような開口１０９を有しボウル部１１０が露出した小便器１０１が作製される。
【００１９】
また、ボウル部１１０においてボウル部壁面１１２と外側壁面１１４との境界辺りには、特に水洗タイプにて有効となり洗浄水が流れるための流路１４３（図１、図２Ｆ）も設けている。
【００２０】
さらにボウル部壁面１１２は、ボウル部壁面１１２から使用者側へ突出した２つの凸部１２０と、これら２つの凸部１２０間に位置する凹部１３０とを有する。それぞれの凸部１２０、及び凹部１３０は、ボウル部壁面１１２と一体成型されている。
【００２１】
凸部１２０は、図１に示すように、小便器１０１の中心軸１０２に対して左右方向１０１ｂにおいて左右対称に位置する２箇所を稜線１０３とし、使用者側１０４へ突出して成型された部分であり、小便器１０１の上下方向１０１ａに連続して延在して成型されている。このような凸部１２０は、ボウル部壁面１１２における上下方向１０１ａの全範囲、つまり上述の範囲Ｌ、にわたり形成することができる。ここで凸部１２０は、範囲Ｌにわたり一定の突出高さであってもよい。
【００２２】
一方、本実施形態のように、凸部１２０は、図２Ａから図２Ｈ（総称して図２と記す場合もある）に示すように、あるいは、凸部１２０を側方から見たとき、上下方向１０１ａにおいて図３に示すように「く」字形状に成型してもよい。尚、図２Ａから図２Ｈは、図１に示すＡからＨの各位置での、左右方向１０１ｂつまり水平方向における小便器１０１の断面を示している。
【００２３】
図２を参照して説明すると、特に図２Ｂから図２Ｇにて分かるように、小便器１０１の裏面１０５からの、稜線１０３での凸部１２０の高さは、小便器１０１の上部、言い換えると上記範囲Ｌの上端、から図１に示す略Ｃ位置にかけて徐々に大きくなり、略Ｃ位置にて最も高く、略Ｃ位置から図１に示す略Ｇ位置にかけて徐々に小さくなる。このような形態にて各凸部１２０は、成型されている。換言すると、凸部１２０は、稜線１０３に沿って小便器１０１の上部から略Ｇ位置まで形成されている。尚、裏面１０５は、小便器１０１を設置する取付壁面と接する面となる。
【００２４】
より具体的には、凸部１２０は、本実施形態では図３Ａに示すＭ位置とＮ位置との上下方向１０１ａにおける範囲「Ｌ１」内に存在する。ここでＭ位置は、上述のように範囲「Ｌ」に相当して存在するボウル部壁面１１２の上端のうち、小便器１０１の中心軸１０２における位置に相当し、Ｎ位置は、ボウル部壁面１１２における変曲位置に相当する。つまりボウル部壁面１１２は、その下部に円弧面１１７（図３Ａ）を有し、この円弧面１１７は、小便器１０１の下部に位置して排水口１５０につながる円弧面である。よって上記変曲位置は、ボウル部壁面１１２に含まれる円弧面１１７における接線が鉛直線となる位置に相当する。
尚、図３Ａは、図１に示すＪ−Ｊ部、即ち小便器１０１の中心軸１０２に沿った断面を示している。また図１に示すように、左右方向１０１ｂにおいて凸部１２０は中心軸１０２から離れて位置している。よって図３Ａにおいて凸部１２０を表現している線分は、凸部１２０の側面を表しておりその断面を示すものではない。
【００２５】
Ｍ、Ｎ位置間に相当する範囲Ｌ１は、上述した範囲「ｈ１」（ボウル部１１０の上下方向１０１ａにおける範囲）の約７〜８割に相当する。また、上下方向１０１ａにおいて上記Ｍ位置を起点としたとき、稜線１０３での、裏面１０５からの凸部１２０の高さが最も大きい頂部１２１（図３）は、範囲「Ｌ１」の約３割から約８割の間に位置する。
ここで３割未満にて頂部１２１が位置する場合、換言すると頂部１２１がＭ位置に近くなる場合、凸部１２０は尿の飛び散り防止に寄与する程度が非常に低くなってしまう。また、成型上の問題も生じるとともに、小便器１０１が水洗タイプの場合には段差１４０へ流水するためのノズル１４５（図５Ｂ）の取り付けが困難となるという製作上の問題も生じる。
一方、８割を超えて頂部１２１が位置する場合、換言すると頂部１２１がＮ位置に近くなる場合、頂部１２１に尿が当たる割合が多くなると予想され尿の飛び散りが多くなってしまうことが懸念される。また、小便器１０１が水洗タイプの場合に流水に影響が生じる可能性がある。
【００２６】
また、稜線１０３での裏面１０５からの凸部１２０の高さは、小便器１０１の奥行き方向１０１ｃにおける奥行き長さＷ（図３Ａ）に対して約２割から約３割の寸法である。凸部１２０の高さが２割未満となると左右２つの凸部１２０間における凹部１３０の形状を保持し難くなり、尿の飛散、跳ね返り防止効果が低下する。また凸部１２０の高さが３割を超えると、凸部１２０と外側壁面１１４との隙間が小さくなり、掃除等のメンテナンス上、支障が生じると思われる。よって、上述の範囲に凸部１２０の高さを設定することで、より効果的に尿の跳ね返りを抑えることができる。
【００２７】
また、左右方向１０１ｂにおける２つの凸部１２０の稜線１０３間の距離Ｘ１（図１）は、小便器１０１の全幅Ｘ（図１）に対して、約３割から約６割の間の値に設定される。
ここで３割未満の距離Ｘ１にて２つの凸部１２０を配置した場合には、２つの凸部１２０間に位置する凹部１３０が狭くなってしまうことから、凹部１３０以外の場所へ尿流が位置する可能性が多くなる。その結果、尿の飛び散りが多くなってしまうと想像される。
一方、６割を超える距離Ｘ１にて２つの凸部１２０を配置した場合には、各凸部１２０は外側壁面１１４に近接して位置することになる。よって、凸部１２０と外側壁面１１４との隙間が小さくなり、掃除等のメンテナンス上、支障が生じると思われる。
【００２８】
凹部１３０は、上述のように成型された２つの凸部１２０の間に位置し、詳しくは各凸部１２０の各稜線１０３の間に位置し、両方の凸部１２０を一体に連結する円弧状の曲面を有する部分である。図１からも明らかなように、稜線１０３間に位置する凹部１３０は、中心軸１０２に沿って小便器１０１の中央部に存在し、かつ、本実施形態では小便器１０１の左右方向１０１ｂにおいて約半分以上を占める。また、大人の使用者の場合、図１に示すＥ位置を中心に略Ｄ位置から略Ｆ位置の間で尿流がボウル部壁面１１２に当たると予想される。
【００２９】
このように、本実施形態の小便器１０１では、ボウル部壁面１１２の２箇所に凸部１２０を上下方向１０１ａに沿って形成したことで、各凸部１２０の稜線１０３間に形成される凹部１３０におけるボウル部壁面１１２は、例えば図２Ｃ及び図２Ｄに示すように、その曲面の曲率が、従来の小便器における尿流衝突面の曲率に比べて大きくなる、つまりカーブがきつくなる。また稜線１０３間に位置する凹部１３０は、小便器１０１の左右方向１０１ｂにおける幅の、上述のように、約半分以上を占める。したがって、凹部１３０におけるボウル部壁面１１２に対する尿流の入射角度は、鋭角となり、従来に比べて尿の跳ね返りを抑えることができ、その結果、ボウル部１１０外への飛び散りも抑えることができる。
【００３０】
また、ボウル部壁面１１２の左右２箇所に凸部１２０を配置し、これらの凸部１２０間に相当する小便器１０１の中央部には凹部１３０が位置ことから、当該小便器１０１は、使用者の視覚に訴えて、小便器１０１の中央部に尿流が当たるように放尿したくなる心理的作用も生じさせることができる。さらにこのような心理的作用を生じさせ易くするために、使用者が凸部１２０及び凹部１３０を視認し易いように、上部壁面１１６には使用者側１０４から裏面１０５側へ凹んだ湾曲部１１８（図２Ａ、図４）を設けている。
これらの結果、上述の特許文献１の小便器に比べると、たとえ尿が飛び散った場合でも尿の飛び散り距離が物理的に短くなり、小便器１０１の外部まで尿が飛び散ることを防止することができる。
【００３１】
さらに、凹部１３０は、２つの凸部１２０の谷間に存在することから、たとえ尿流が凹部１３０のボウル部壁面１１２にて跳ね返ったとしても、跳ね返った尿は両側に位置する凸部１２０の壁面に当たり、凹部１３０の外側へ飛び散るのを防止することも可能となる。このことからも、ボウル部１１０外への尿の飛び散りを従来に比べて低減することが可能となる。
【００３２】
以上説明したような形状にて、特に、ボウル部壁面１１２、凸部１２０、及び凹部１３０は形成される。一方、一般的に、物の表面特に曲面にてなる表面を設計する場合、この表面上の３位置における断面形状を規定し、これら３位置の断面形状をつないで物の表面を設計する手法がある。
凸部１２０及び凹部１３０を有するボウル部壁面１１２を構成する面についても、この手法を用いて設計することが可能である。
即ち、上述の３位置に相当する位置として、ここでは上下方向１０１ａにおける、上述のＭ位置、凸部１２０の頂部１２１の位置（ここでは「Ｔ」位置と記す）、及び上述のＮ位置を用いる。これらの各位置における断面を規定するパラメータとして、左右方向１０１ｂにおける以下の３地点Ｉ，ＩＩ，ＩＩＩでの、小便器１０１の奥行き方向１０１ｃにおける裏面１０５からの距離ｗ１，ｗ２，ｗ３を用いる。ここで地点Ｉは小便器１０１の中心軸１０２における凹部１３０の位置であり、地点ＩＩは片側の凸部１２０の稜線１０３における位置であり、地点ＩＩＩは上記稜線１０３と外側壁面１１４との間の谷１０６の位置である。また、距離ｗ１，ｗ２，ｗ３は、それぞれ、最大値と最小値との間の値を採ることができる。
上述の、Ｍ位置、Ｔ位置、Ｎ位置のそれぞれの位置における、３地点Ｉ，ＩＩ，ＩＩＩでの距離ｗ１，ｗ２，ｗ３について図８に示す。
【００３３】
したがって、凸部１２０及び凹部１３０を有するボウル部壁面１１２を構成する面は、Ｍ位置、Ｔ位置、Ｎ位置のそれぞれにおける、距離ｗ１，ｗ２，ｗ３を基にした各断面をつないで形成される曲面である。また、このようにして形成される曲面は、上述の最大値と最小値との間で可変である値によって変形することになる。
【００３４】
以上説明した小便器１０１は、水洗機能を設けていない形態であるが、水洗機能を取り付けることもできる。この場合、上部壁面１１６にパイプを突設し、このパイプに例えば、ハンドルを有する手動式の蛇口が取り付けられる。また、この蛇口を通してボウル部１１０へ流入する水流がボウル部壁面１１２の全面へ一様に流れることができるように、図５Ａ及び図５Ｂ（総称して図５と記す場合もある）に示すように、上記蛇口に接続するノズル１４５を通して流入する水流を調整する段差１４０をボウル部壁面１１２に形成してもよい。
【００３５】
この段差１４０は、小便器１０１の中心軸１０２を頂点としてその左、右側の外側壁面１１４の方へ下方に傾斜する各斜部１４１を有する山形形状である。よって頂点部分に流入した水は、中心軸１０２に沿って下方へ流れるとともに、各斜部１４１に案内されながらボウル部壁面１１２を伝って下方へ流れることができる。したがって、段差１４０を設けることで、ボウル部壁面１１２の左右方向１０１ｂにおける全面に水を流すことができる。
【００３６】
第２実施形態；
次に、本発明の第２実施形態における搬送可能トイレについて説明する。
上述した小便器１０１は、図６及び図７に示すように、搬送可能トイレ２００のボックス内に取り付けることができる。図７では、小便器１０１は水洗タイプを示しているが、非水洗タイプでもよい。また、排水口１５０にはＳ字形のトラップ管２１０を接続しているが、ストレート管を接続してもよい。トラップ管２１０及びストレート管は、床面２０２の下方に設置されるタンクに接続される。
【００３７】
上述した各変形例を組み合わせた構成を採ることも可能である。
【産業上の利用可能性】
【００３８】
本発明は、小便器、及び該小便器を備えた搬送可能トイレに適用可能である。
【符号の説明】
【００３９】
１０１…小便器、１０１ａ…上下方向、１０１ｂ…左右方向、１０２…中心軸、
１１０…ボウル部、１１２…ボウル部壁面、１１４…外側壁面、１１６…上部壁面、
１２０…凸部、１３０…凹部、１５０…排水口、
２００…搬送可能トイレ。
【図１】
0006602085.tif 000002
【図２Ａ】
0006602085.tif 000003
【図２Ｂ】
0006602085.tif 000004
【図２Ｃ】
0006602085.tif 000005
【図２Ｄ】
0006602085.tif 000006
【図２Ｅ】
0006602085.tif 000007
【図２Ｆ】
0006602085.tif 000008
【図２Ｇ】
0006602085.tif 000009
【図２Ｈ】
0006602085.tif 000010
【図２Ｉ】
0006602085.tif 000011
【図２Ｊ】
0006602085.tif 000012
【図３Ａ】
0006602085.tif 000013
【図３Ｂ】
0006602085.tif 000014
【図４】
0006602085.tif 000015
【図５Ａ】
0006602085.tif 000016
【図５Ｂ】
0006602085.tif 000017
【図６】
0006602085.tif 000018
【図７】
0006602085.tif 000019
【図８】
0006602085.tif 000020